(57)【要約】      （修正有）【課題】血栓や血小板粘着を最少化するため、３次元空間で曲がっているステント配置器具を提供する。【解決手段】ステント配置器具は、細長いカテーテルシャフト２と膨張式バルーン３を備える。バルーン３は、つぶれた形態と膨張した形態の間で可動であり、膨張した形態では、バルーン３の長手軸の一部は、３次元空間で曲がり、バルーン３の一部は螺旋形状とされる。ステント６はつぶれた搬送形態から部分的に拡張した中間形態に、実質的に中間形態から完全に拡張した配置形態に可動である。搬送形態では、ステント６の長手軸は直線である。ステント６の長手軸は、中間形態では直線または３次元空間で曲がっていてもよい。膨張した形態のバルーン３はステント６に力を及ぼす。配置形態では、次にステント６は血管５の内膜に力を及ぼし、血管５の長手軸を３次元空間で曲げる。【選択図】図８
2015037605.tif 000002
【特許請求の範囲】
【請求項１】
血管に配置される膨張可能な要素を備え、
前記膨張可能な要素は、つぶれた形態と膨張した形態の間で可動であり、
前記膨張した形態では、前記膨張可能な要素の長手軸の少なくとも一部は、３次元空間で曲がっている；
医療器具。
【請求項２】
前記膨張した形態で、前記膨張可能な要素は血管の内膜に力を及ぼし、血管の長手軸を３次元空間で曲げるようになされた；
請求項１の医療器具。
【請求項３】
前記医療器具は単一の膨張可能な要素を備える；
請求項１または２の医療器具。
【請求項４】
前記つぶれた形態で、前記膨張可能な要素の長手軸の少なくとも一部は実質的に直線である；
請求項１ないし３のいずれか１項の医療器具。
【請求項５】
前記つぶれた形態で、前記膨張可能な要素の少なくとも一部は実質的に円筒形形状とされる；
請求項４の医療器具。
【請求項６】
前記膨張した形態で、前記膨張可能な要素の少なくとも一部は実質的に螺旋形状とされる；
請求項１ないし５のいずれか１項の医療器具。
【請求項７】
前記膨張可能な要素の少なくとも１つの長手端部は、端部の長手方向に変化する螺旋角を有する；
請求項６の医療器具。
【請求項８】
前記膨張可能な要素の１つの端部の長手軸の螺旋角は、前記膨張可能な要素の該端部から離れる方向で増加する；
請求項７の医療器具。
【請求項９】
前記膨張した形態で、前記膨張可能な要素の少なくとも一部は実質的に渦巻き形状とされる；
請求項１ないし５のいずれか１項の医療器具。
【請求項１０】
前記膨張可能な要素は、膨張式要素を備える；
請求項１ないし９のいずれか１項の医療器具。
【請求項１１】
前記膨張可能な要素は、少なくとも部分的にステントを拡張するようになされた；
請求項１ないし１０のいずれか１項の医療器具。
【請求項１２】
前記膨張した形態で、前記膨張可能な要素はステントを介して血管の内膜に力を及ぼすようになされた；
請求項１１の医療器具。
【請求項１３】
前記膨張可能な要素は、３次元空間で曲がった長手軸を有するステントを拡張するようになされた；
請求項１１または１２の医療器具。
【請求項１４】
前記膨張可能な要素は、実質的に直線の長手軸を有するステントを拡張するようになされた；
請求項１１または１２の医療器具。
【請求項１５】
前記医療器具は、ステント配置器具を備える；
請求項１１ないし１４のいずれか１項の医療器具。
【請求項１６】
前記膨張した形態で、前記膨張可能な要素は、血管の内膜に直接接触するようになされた；
請求項１ないし１０のいずれか１項の医療器具。
【請求項１７】
前記医療器具は、拡張器具を備える；
請求項１６の医療器具。
【請求項１８】
前記医療器具は、前記膨張可能な要素をステントまたは血管と位置合わせする手段を備える；
請求項１ないし１７のいずれか１項の医療器具。
【請求項１９】
前記位置合わせ手段は、前記膨張可能な要素を可視化する手段を備える；
請求項１８の医療器具。
【請求項２０】
前記位置合わせ手段は、前記膨張可能な要素上の１つまたは複数のマーカーを備える；
請求項１９の医療器具。
【請求項２１】
前記マーカーはＸ線不透過性物質を備える；
請求項２０の医療器具。
【請求項２２】
前記位置合わせ手段は、前記膨張可能な要素の少なくとも一部に沿って円周方向または長手方向に延在する；
請求項１８ないし２１のいずれか１項の医療器具。
【請求項２３】
前記位置合わせ手段は、変断面を有する膨張可能な要素により提供される；
請求項１８の医療器具。
【請求項２４】
前記変断面の変化は、前記膨張可能な要素が軸方向に回転するにつれて断面の投影図が変化するようになされる；
請求項２３の医療器具。
【請求項２５】
前記膨張可能な要素は、ノッチ付き断面を有し、該ノッチは、前記膨張可能な要素の外面に窪んだ実質的に平坦な部分を備える；
請求項２３または２４の医療器具。
【請求項２６】
前記医療器具は、細長い要素を備え、その上に前記膨張可能な要素が搭載される；
請求項１ないし２５のいずれか１項の医療器具。
【請求項２７】
前記膨張可能な要素は、複数の分離した膨張可能な部材を備える；
請求項１または２の医療器具。
【請求項２８】
血管に配置される膨張可能な要素を備え、
前記膨張可能な要素は、つぶれた形態と膨張した形態の間で可動であり、
前記膨張した形態は、血管内または血管内に配置されたステント内の前記膨張可能な要素と位置合わせを容易にする変断面を有する；
医療器具。
【請求項２９】
前記膨張可能な要素の膨張した形態で、前記膨張可能な要素は、前記膨張可能な要素が挿入されているステントを介して、血管の内膜に力を及ぼし、血管の長手軸が３次元空間で曲がるように血管の内膜を変形させるようになされた；
請求項１ないし１５または請求項１８ないし２８のいずれか１項の医療器具。
【請求項３０】
請求項１ないし１５または請求項１８ないし２８のいずれか１項の医療器具と、
血管に配置されて血管の内膜の少なくとも一部を支えるのに適したステントとを備える；
医療システム。
【請求項３１】
前記ステントは、前記膨張可能な要素がステントと正しく位置合わせされると、前記変断面に関して所定の関係で位置するように配置されたＸ線不透過性マーカーを有する；
請求項２３、２４または２５に従属する請求項３０の医療システム。
【請求項３２】
少なくとも２ペアのＸ線不透過性マーカーを有し、各ペアは前記ステントの円周周りに直径方向反対側に配置された２つのマーカーを備える；
請求項３１の医療システム。
【請求項３３】
前記ステントは、搬送形態と配置形態の間で可動な；
請求項３０、３１または３２の医療システム。
【請求項３４】
前記ステントは、搬送形態ではつぶれている；
請求項３３の医療システム。
【請求項３５】
前記搬送形態で、前記ステントの長手軸の少なくとも一部は実質的に直線である；
請求項３３または３４の医療システム。
【請求項３６】
前記ステントは、前記配置形態では拡張される；
請求項３３ないし３５のいずれか１項の医療システム。
【請求項３７】
前記配置形態では、前記ステントの長手軸の少なくとも一部は３次元空間で曲がっている；
請求項３３ないし３６のいずれか１項の医療システム。
【請求項３８】
前記配置形態では、前記ステントは血管の内膜に力を及ぼし、前記血管の長手軸を３次元空間で曲げるようになされた；
請求項３７の医療システム。
【請求項３９】
前記ステントは搬送形態と中間形態の間および中間形態と配置形態の間で可動である；
請求項３３ないし３８のいずれか１項の医療システム。
【請求項４０】
前記ステントは前記中間形態で少なくとも一部が拡張されている；
請求項３９の医療システム。
【請求項４１】
前記中間形態で前記ステントの長手軸の少なくとも一部は実質的に直線である；
請求項３９または４０の医療システム。
【請求項４２】
前記中間形態で前記ステントの長手軸の少なくとも一部は３次元空間で曲げられている；
請求項３９または４０の医療システム。
【請求項４３】
前記膨張可能な要素の膨張した形態で、前記膨張可能な要素は前記ステントを介して血管の内膜に力を及ぼし、前記血管の長手軸が３次元空間で曲げられるように血管の内膜を変形するようになされた；
請求項３０ないし４２のいずれか１項の医療システム。
【請求項４４】
血管を処置する方法であって：
血管中に膨張可能な要素を配置するステップと；
前記膨張可能な要素をつぶれた形態から、前記膨張可能な要素の長手軸の少なくとも一部が３次元空間で曲げられた膨張した形態に動かすステップとを備える；
方法。
【請求項４５】
前記膨張可能な要素は、前記血管の長手軸が３次元空間で曲げられるように血管の内膜に力を及ぼすようになされた；
請求項４４の方法。
【請求項４６】
前記膨張可能な要素をつぶれた形態から膨張した形態に動かすステップは、少なくとも部分的にステントを拡張する；
請求項４４または４５の方法。
【請求項４７】
前記膨張可能な要素は前記ステントを介して血管の内膜に力を及ぼす；
請求項４６の方法。
【請求項４８】
前記方法は、前記ステントを搬送形態から配置形態に動かすステップをさらに備える；
請求項４６または４７の方法。
【請求項４９】
前記方法は、前記ステントを前記搬送形態から中間形態に、および、中間形態から前記配置形態に動かすステップを備える；
請求項４８の方法。
【請求項５０】
請求項４６ないし４９のいずれか１項の方法でステントを配置する方法。
【請求項５１】
前記膨張可能な要素は直接血管の内膜に接触する；
請求項４４または４５の方法。
【請求項５２】
請求項５１の方法で、拡張する方法。
【請求項５３】
前記方法は、前記膨張可能な要素をステントまたは血管と位置合わせするステップを備える；
請求項４４ないし５１のいずれか１項の方法。
【請求項５４】
前記位置合わせするステップは、変断面を有する前記膨張可能な要素の一部を用いる；
請求項５３の方法。
【請求項５５】
前記変断面の変化は、前記膨張可能な要素が軸方向に回転するにつれ断面の投影図が変化するようになされた；
請求項５４の方法。
【請求項５６】
前記膨張可能な要素はノッチ付き断面を有し、該ノッチは前記膨張可能な要素の外面に窪んだ実質的に平坦な部分を備える；
請求項５４または５５の方法。
【請求項５７】
前記変断面を前記ステント上の対応する参照ポイントと位置合わせすることをさらに備える；
請求項５４、５５または５６の方法。
【請求項５８】
前記参照ポイントは、前記膨張可能な要素が前記ステントと正しく位置合わせされると、前記変断面に関して所定の関係で位置するように配置されたＸ線不透過性マーカーを備える；
請求項５７の方法。
【請求項５９】
少なくとも２ペアのＸ線不透過性マーカーを備え、各ペアは前記ステントの円周上に直径方向反対側に配置された２つのマーカーを備える；
請求項５７の方法。
【請求項６０】
血管を処置する方法であって：
血管中に膨張可能な要素を配置するステップと；
前記膨張可能な要素をつぶれた形態から膨張した形態に動かすステップと；
前記膨張可能な要素を、変断面を有する前記膨張可能な要素の一部を用いて前記血管または前記血管内のステントと位置合わせするステップとを備える；
方法。
【請求項６１】
前記位置合わせするステップは、前記変断面またはノッチ付き断面を前記ステント上の対応する参照ポイントと位置合わせすることを備える；
請求項６０の方法。
【請求項６２】
添付図面を参照して実質的に本書で説明した血管を処置する医療器具、システムまたは方法。
【発明の詳細な説明】
【技術分野】
【０００１】
［導入部］
本発明は、医療器具に関する。
【発明の概要】
【０００２】
本発明によれば、血管中の位置へ膨張可能な要素であって、つぶれた形態と膨張した形態との間で動く膨張可能な要素を備え、膨張した形態では前記膨張可能な要素の長手軸の少なくとも一部は、３次元空間に曲がっている、医療器具が提供される。
【０００３】
本発明の一実施の形態では、膨張した形態で、膨張可能な要素は、血管の内壁に力を及ぼすようになされ、血管の長手軸を３次元空間で曲がるようにする。血管の３次元に曲がった部分を流れる血液は、渦巻き作用を受ける。血液の渦巻き流れが、血栓と血小板粘着を最少化すること、および、内膜の内部成長によるステントの被覆を最小化または防止することが分かっている。血管の平面的でない形状により生ずる渦巻きパターンを含めた血管中の流れパターンは、血栓症・アテローム性動脈硬化および内膜過形成のような血管疾患の進行を抑制するように作用する。好ましくは、該医療器具は、単一の膨張可能な要素を備える。しかし、該医療器具は、代わりに、複数の別々の膨張可能な部材を備えてもよい。
【０００４】
一実施の形態では、つぶれた形態で、膨張可能な要素の長手軸の少なくとも一部は、実質的に直線である。この配置により、搬送を容易にする低い外形となる。好ましくは、つぶれた形態で、膨張可能な要素の少なくとも一部は、実質的に円筒形状とされる。膨張した形態では、膨張可能な要素の少なくとも一部は、実質的に螺旋形状とされてもよい。膨張した形態では、膨張可能な要素の少なくとも一部は、渦巻形状とされてもよい。
【０００５】
ある好適な実施の形態では、膨張可能な要素の少なくとも１つの長手端部は、該端部の長さ方向に変化する螺旋角を有する。両端の長手端部が、この形態を有してもよい。ある実施の形態では、膨張可能な要素の一端部の長手軸の螺旋角は、その要素の端部から離間する方向に増加する。このような膨張可能な要素により血管が螺旋の長手軸を有するようになされる場合、膨張可能な要素の端部は、血管の長手軸の螺旋角を端部の長手方向で増加するようにする。よって、遷移領域が血管に存在し、そこでは膨張可能な要素の端部により形作られた血管の部分の流れは、変化する螺旋角により調整される。この配置は、低い壁面剪断応力を有する血管の内壁の領域を低減し、再循環の可能性を低減し、新生内膜過形成のリスクを低減するように作用する。壁面剪断応力は、血管壁に隣接する流れによって、血管の内膜に生ずる。比較的高いレベルの壁面剪断応力は、ステント内再狭窄のレベルの低下を伴っていた。
【０００６】
膨張可能な要素は、膨張式要素を備えてもよい。好ましくは、膨張式要素はバルーンを備える。バルーンは、上述の長手端部を１つ以上有してもよい。
【０００７】
膨張可能な要素は、少なくとも部分的にステントを拡張するように構成される。好ましくは、膨張した形態で、膨張可能な要素は、ステントを介して血管の内膜に力を及ぼすように構成される。膨張可能な要素は、３次元空間で曲がる長手軸を有するステントを拡張するように構成されてもよい。膨張可能な要素は、実質的に直線の長手軸を有するステントを拡張するように構成されてもよい。理想的には、医療器具は、ステント配置器具を備える。
【０００８】
あるいは、３次元空間で曲がる長手軸を有するステントを前もって配置し、膨張可能な要素を、その形状が時間と共に画定されなくなる、あるいは、３次元形状が初めから十分でない（すなわち、ステントを注入した際血管により形状が部分的にのみ定まる）ならば、形状を再構築あるいは強化するようにステントに力を及ぼすように構成されてもよい。
【０００９】
最も好ましくは、医療器具は、膨張可能な要素をステントあるいは血管内腔と位置調整させる手段を備える。３次元で曲がるステントの場合には、ステントが膨張可能な要素の３次元の曲がりと正しく位置調整することは特に重要である。位置合わせ手段は、膨張可能な要素を可視化する手段を備える。位置合わせ手段は、膨張可能な要素とステントの回転方向の位置調整を容易にするように配置されてもよい。位置合わせ手段は、膨張可能な要素とステントの軸方向の位置調整を補助するようになされてもよい。好ましくは、位置合わせ手段は、回転方向と軸方向の位置調整を容易にするようになされる。好ましくは、位置合わせ手段は、膨張可能な要素上のに１つ以上のマーカーを備える。
【００１０】
マーカーは、タンタル、プラチナ、金あるいはインジウムのようなＸ線不透過性物質を備えてもよい。マーカーは、膨張可能な要素の直径方向反対側に配置され、ステントに挿入された膨張可能な要素にＸ線源が作用するときに、作り出されるＸ線画像を用いて膨張可能な要素の向きを決定できるようにする。例えば、両方のマーカーを示す画像は、膨張可能な要素が位置調整されていないことを示し、１つだけのマーカー（他のマーカーは最初のマーカーの陰になる）を示す画像は膨張可能な要素が位置調整されていることを示す。
【００１１】
別の実施の形態では、位置合わせ手段は、膨張可能な要素の少なくとも一部に沿って円周方向におよび／または長手方向に、例えば十字または部分的十字に、延在する。
【００１２】
好ましくは、ステントもマーカーを備え、マーカーは、膨張可能な要素がステントと正しく位置調整された場合にステントのマーカーに関して所定の形で位置するように、配置される。たとえば、ステントは、膨張可能な要素が正しく位置調整された場合に膨張可能な要素のマーカーと直線に並ぶＸ線不透過性マーカーを備えることができる。
【００１３】
別の実施の形態では、膨張可能な要素がつぶれたステント内に挿入されるとマーカーを用いて正確な位置調整をできるように、マーカーは、膨張可能な要素とステントの両方に備えられる。たとえば、膨張可能な要素とステントのマーカーは、合致する。ステントが本体に挿入され、膨張可能な要素がステント内で膨張したときに、マーカーを用いて、膨張可能な要素とステントの間の正確な位置調整を成し遂げてもよい。
【００１４】
しかし、場合によっては、経管的手順に含まれる搬送システムのサイズが小さいことのために、器具の個々のマーカーを識別するのが困難な場合もある。たとえば、膨張可能な要素の「Ｌ」のような非対称なマーカーの回転方向を見るのは困難かもしれない。このことを考慮して、本発明の一実施の形態は、別の代わりとなる位置合わせ手段を提供する。この実施の形態では、膨張可能な要素は、変断面を有する。生理食塩水またはコントラスト増強媒体（Ｘ線不透過性染料)で膨張されると、膨張可能な要素の変断面は、蛍光透視法を用いて観察すると視認できるようになる（膨張可能な要素を満たすのに特にＸ線不透過性染料を用いることは、膨張時と配置時に可視化するのを容易にする）。変断面を用いて、膨張可能な要素の回転方向を決定することができ、よって、正しく配置することを可能とする。膨張可能な要素は、生体内で、血管または血管内のステントに配置され位置調整され、または、体内に挿入される前に体外でステントに配置され位置調整される。
【００１５】
例えば、蛍光透視にＣアーム型の機能を用いて、膨張可能な要素は、例えば鉛直（縦）視と平面（前後方向）視の２つの直交方向で視認できる。この方法で、体内の血管またはステントに挿入される一方、膨張可能な要素の変断面またはノッチ付き断面の方向が決定でき、よって、膨張可能な要素をステントまたは血管内腔の曲がりに関して正しく方向付けすることができる。
【００１６】
断面は、膨張可能な要素の方向を識別することが出来るいかなる方法で変化してもよい。たとえば、変化は、膨張可能な要素の断面の投影図が、膨張可能な要素が回転すると変化する様なものでもよい。一実施の形態では、断面の変化は、ノッチを備えるのが好ましく、ノッチは膨張可能な要素の外面のどのような形状または窪みでもよい。そのようなノッチは、一次の回転対称性を有するのが好ましい。好ましくは、ノッチは、膨張可能な要素の外面に窪んだ実質的に平らな部分を備える。
【００１７】
一実施の形態では、ステントには少なくとも１つの参照ポイント、例えば、Ｘ線不透過性マーカーが具備され、参照ポイントは、膨張可能な要素が正しく配置されたときに所定の方法で膨張可能な要素の変断面（またはその一部）と直線に並ぶように配置される。一実施の形態では、Ｘ線不透過性マーカーは、膨張可能な要素が正しく回転され配置されたときに、膨張可能な要素のノッチ部分と一致するように配置される。マーカーは、どんな形状でもよいが、好ましくは楕円形または長方形である。適切なＸ線不透過性物質は、タンタル、プラチナ、金またはイリジウムである。
【００１８】
断面の変化は、例えばノッチ部分は、ステントの１つのマーカーと１つのやり方だけで唯一に位置調整されることが好ましい。よって、マーカーとの位置調整が達成されると、ステントとの回転位置調整もまた達成される。
【００１９】
一実施の形態では、ステントの両端に１つずつ、２つのＸ線不透過性マーカーを具備する。しかし、マーカーを複数のペアで具備するほうが好ましく、各ペアは、直径方向反対側に配置された、すなわち、ステントの円周周りに１８０度離れた２つのマーカーを備える。別の実施の形態では、複数のペアをステントの同じ長手方向での位置に具備し、各ペアは直径方向反対側に配列され、他のペアとは識別される。例えば、マーカーの２つのペアを具備し、４つのマーカーはそれぞれ９０度離れる。
【００２０】
よって、理解されるように、上述した位置合わせ手段は、配置されたときに、ステントまたは血管形状に関して膨張可能な要素のある回転の向きとなることを確かなものとする。
【００２１】
この位置合わせ手段は、３次元空間に曲がった長手軸を有する膨張可能な要素の配置に特に役立つ上に、本発明によれば、他の膨張可能な要素を位置調整するのにも有用である。したがって、それ自体で発明であることが分かる。
【００２２】
よって、別の観点からは、本発明は、血管に配置される膨張可能な要素であって、つぶれた形態と膨張した形態との間で移動可能な膨張可能な要素を備え、膨張可能な要素は、膨張可能な要素を血管と位置調整するのに役立つ変断面またはノッチ付き断面を備える、医療器具を提供する。
【００２３】
この医療器具は、膨張可能な要素を血管と直接、すなわちステントの存在なしで、位置調整しやすくし、あるいは、膨張可能な要素を血管内のステントと位置調整しやすくする。
【００２４】
膨張可能な要素は、直線または２次元か３次元に曲がった中心線を有してもよい。ステントまたは血管は、直線のまたは対応する曲線の中心線を有する。変断面またはノッチ付き断面は、膨張可能な要素の回転の向きがステントまたは血管の曲がりと正しく一致するようにできることが好ましい。断面は、膨張可能な要素の向きが識別されるどんな方法で変化してもよい。たとえば、変化は、膨張可能な要素の断面の投影図が膨張可能な要素が回転するにつれ変化するようなものでもよい。ノッチは、いかなる形状でも、膨張可能な要素の外面の窪みでもよい。ノッチは、膨張可能な要素の外面で窪んだ実質的に平らな部分を備えるのが好ましい。そのようなノッチの１つを、膨張可能な要素の各端部に備えるのが好ましい。Ｘ線不透過性マーカーを、膨張可能な要素が正しく位置調整されたときにノッチと合致するような位置で、ステントに具備してもよい。
【００２５】
更に別の態様では、本発明は、血管を処置する方法を提供し、その方法は、膨張可能な要素を血管に配置するステップと、膨張可能な要素をつぶれた形態から膨張した形態に動かすステップと、変断面またはノッチ付き断面を有する膨張可能な要素の一部を用いて、血管または血管内に配置されたステントと膨張可能な要素を位置調整するステップとを備える。したがって、これは体内で実行される、体内手順である。
【００２６】
別の態様では、本発明は、膨張可能な要素をステント内に配置することと、膨張可能な要素のマーカーまたは変断面を用いて、膨張可能な要素をステントと位置調整することを備える医療器具を製造する方法を提供する。ステントのマーカーをまた、膨張可能な要素を位置調整するのに用いることが好ましい。これは、体外で実行される、体外手順である。
【００２７】
好ましくは、位置調整するステップは、対応するステントの参照ポイントと変断面またはノッチ付き断面部分を位置調整することを備える。
【００２８】
好ましくは、膨張可能な要素の膨張した形態で、膨張可能な要素は、膨張可能な要素がその中に挿入されたステントを介して、血管の内膜に力を及ぼし、血管の長手軸が３次元空間で曲がるように、血管の内膜を変形させるように構成される。
【００２９】
一実施の形態では、膨張した形態で、膨張可能な要素は、血管の内膜に直接、すなわち、ステントを使わずに、接触するように構成される。好ましくは、医療器具は拡張器具を備える。
【００３０】
ある場合には、医療器具は、膨張可能な要素が取り付けられる細長い要素を備える。
【００３１】
本発明の医療器具は、ステント搬送器具、および／または、ステント配置器具、および／または、拡張後の器具として利用できる。
【００３２】
本発明の別の態様では、医療システムが提供され、医療システムは、本発明の医療器具と、血管に配置されるのに適し、血管の内膜の少なくとも一部を支えるステントとを備える。
【００３３】
本発明の一実施の形態では、ステントは、搬送形態と配置形態との間で可動である。好ましくは、ステントは、搬送形態ではつぶれている。この低い外形配置により、搬送が容易になる。理想的には、搬送形態では、ステントの長手軸の少なくとも一部は、実質的に直線である。より好ましくは、ステントは配置形態で拡張される。配置形態では、ステントの長手軸の少なくとも一部は、３次元空間で曲がっている。好ましくは、配置形態では、ステントは血管の内膜に力を及ぼし、血管の長手軸を３次元空間で曲げるように構成される。血管の３次元に曲がった部分を流れる血液は、渦巻き作用を受ける。血液の渦巻き作用は、血栓や血小板粘着を最少化することが知られており、内膜の内部成長によるステントの覆いを最小化または防止することも知られている。血管の平面的でない形状により生ずる渦巻きパターンを含む血管内の流れのパターンは、血栓／アテローム性動脈硬化や内膜過形成のような血管疾患の進行を抑制する働きをする。
【００３４】
ある場合には、ステントは、搬送形態と中間形態、および、中間形態と配置形態との間で可動である。好ましくは、ステントは、中間形態で、少なくとも部分的に拡張する。中間形態では、ステントの長手軸の少なくとも一部は、実質的に直線である。中間形態では、ステントの長手軸の少なくとも一部は、３次元空間で曲がっていてもよい。
【００３５】
本発明は、別の態様では、血管を処置する方法も提供し、該方法は、血管中に膨張可能な要素を配置するステップと、膨張可能な要素をつぶれた形態から膨張した形態に動かすステップであって、膨張した形態では膨張可能な要素の長手軸の少なくとも一部は３次元空間で曲がっている、ステップとを備える。
【００３６】
本発明の一実施の形態では、膨張可能な要素は血管の内膜に力を及ぼし、血管の長手軸を３次元空間で曲げる。血管の３次元で曲がった部分を流れる血液は渦巻き作用を受ける。血液の渦巻き流れは、血栓や血小板粘着を最少化することが知られており、内膜の内部成長によるステントの覆いを最小化または防止することも知られている。血管の平面的でない形状により生ずる渦巻きパターンを含む血管内の流れのパターンは、血栓／アテローム性動脈硬化や内膜過形成のような血管疾患の進行を抑制する働きをする。
【００３７】
ある場合には、膨張可能な要素を少なくとも部分的につぶれた形態から膨張した形態に膨張可能な要素を動かすステップは、ステントを拡張する。好ましくは、膨張可能な要素は、ステントを介して血管の内膜に力を及ぼす。理想的には、この方法は、ステントを搬送形態から配置形態に動かすステップを備える。最も好ましくは、この方法は、ステントを搬送形態から中間形態に、中間形態から配置形態に動かすステップを備える。本発明は、ステントを配置する方法を提供することもできる。好ましくは、その方法は、膨張可能な要素をステントと位置調整する工程を備える。３次元的に曲がったステントの場合には、ステントが膨張可能な要素の３次元の曲がりと正しく位置調整されることを確かにすることが重要である。
【００３８】
別の実施の形態では、膨張可能な要素は、血管の内膜に直接接触する。本発明は、拡張する方法を提供することも出来る。
【００３９】
本発明は、添付の図面を参照し、例として示しただけではあるが、以下のいくつかの実施の形態の説明からより明確に理解されるであろう。
【図面の簡単な説明】
【００４０】
【図１】図１は、つぶれた形態の本発明による医療器具の等角図である。
【図２】図２は、膨張した形態の図１の医療器具の等角図である。
【図２（ａ）】図２（ａ）は、膨張した形態の図１の医療器具の等角図である。
【図３】図３は、血管の断面側面図である。
【図４】図４は、図３の血管で搬送形態から中間形態へのステントの動きを示す断面側面図である。
【図５】図５は、図３の血管で搬送形態から中間形態へのステントの動きを示す断面側面図である。
【図６】図６は、図３の血管で搬送形態から中間形態へのステントの動きを示す断面側面図である。
【図７】図７は、図１の医療器具を用いる中間形態から配置形態へのステントの動きを示す断面側面図である。
【図８】図８は、図１の医療器具を用いる中間形態から配置形態へのステントの動きを示す断面側面図である。
【図９】図９は、図１の医療器具を用いる中間形態から配置形態へのステントの動きを示す断面側面図である。
【図１０】図１０は、図１の医療器具を用いる中間形態から配置形態へのステントの動きを示す断面側面図である。
【図１０（ａ）】図１０（ａ）は、図１の医療器具を用いる搬送形態から配置形態への図４〜１０のステントの動きを示す断面側面図である。
【図１０（ｂ）】図１０（ｂ）は、図１の医療器具を用いる搬送形態から配置形態への図４〜１０のステントの動きを示す断面側面図である。
【図１０（ｃ）】図１０（ｃ）は、図１の医療器具を用いる搬送形態から配置形態への図４〜１０のステントの動きを示す断面側面図である。
【図１０（ｄ）】図１０（ｄ）は、図１の医療器具を用いる搬送形態から配置形態への図４〜１０のステントの動きを示す断面側面図である。
【図１０（ｅ）】図１０（ｅ）は、図１の医療器具を用いる搬送形態から配置形態への図４〜１０のステントの動きを示す断面側面図である。
【図１１】図１１は、図３の血管における搬送形態から中間形態への別のステントの動きを示す断面側面図である。
【図１２】図１２は、図３の血管における搬送形態から中間形態への別のステントの動きを示す断面側面図である。
【図１３】図１３は、図３の血管における搬送形態から中間形態への別のステントの動きを示す断面側面図である。
【図１４】図１４は、図３の血管における搬送形態から中間形態への別のステントの動きを示す断面側面図である。
【図１５】図１５は、図１の医療器具を用いる中間形態から配置形態へのステントの動きを示す断面側面図である。
【図１６】図１６は、図１の医療器具を用いる中間形態から配置形態へのステントの動きを示す断面側面図である。
【図１７】図１７は、図１の医療器具を用いる中間形態から配置形態へのステントの動きを示す断面側面図である。
【図１８】図１８は、図１の医療器具を用いる中間形態から配置形態へのステントの動きを示す断面側面図である。
【図１９】図１９は、膨張した形態の本発明による別の医療器具の等角図である。
【図２０】図２０は、膨張した形態の図１９の医療器具の等角図である。
【図２１】図２１は、位置調整されていない形態の本発明による別の医療器具の端面図である。
【図２２】図２２は、準位置調整された形態の図２１の医療器具の端面図である。
【図２３】図２３は、位置調整された形態の図２１および図２２の医療器具の端面図である。
【図２４】図２４は、膨張可能な要素が位置調整されていない形態の、本発明の実施の形態による医療器具の位置調整システムを図示する。
【図２５】図２５は、膨張可能な要素が位置調整された形態の、図２４の実施の形態による医療器具の位置調整システムを図示する。
【図２６】図２６は、膨張可能な要素が位置調整されていない形態の、本発明のさらなる実施の形態による医療器具の位置調整システムを図示する。
【図２７】図２７は、膨張可能な要素が位置調整された形態の、図２６の実施の形態による医療器具の位置調整システムを図示する。
【図２８】図２８（ａ）は蛍光透視を図示し、図２８（ｂ）は、蛍光透視で見た、位置調整を容易にするノッチ部分を有する医療器具の立面図である。
【図２９】図２９（ａ）は蛍光透視を図示し、図２９（ｂ）は、蛍光透視で見た、位置調整を容易にするノッチ部分を有する図２８（ｂ）の医療器具の平面図である。
【図３０】図３０（ａ）〜（ｃ）は、位置合わせ手段を備える、一方向に１つの曲がりを有するステントと膨張可能な要素を図示する。
【図３１】図３１（ａ）〜（ｃ）は、位置合わせ手段を備える、３次元の曲がりを有するステントと膨張可能な要素を図示する。
【発明を実施するための形態】
【００４１】
図面を参照して、最初に図１〜２（ａ）を参照すると、本発明による医療システムが図示される。この場合では、医療システムは、ステント配置システムを備える。
【００４２】
ステント配置システムは、ステント配置器具１、および、血管５の内膜の少なくとも一部を支えるのに血管５に配置されるのに適したステントを備える。
【００４３】
ステント配置器具１は、細長いカテーテルシャフト２、および、血管５に配置される単一の膨張可能な要素３を備える。膨張可能な要素３は、カテーテルシャフト２に取り付けられる。
【００４４】
この場合、膨張可能な要素３は、膨張式バルーンを備える。膨張式バルーン３は、つぶれた形態（図１）と膨張した状態（図２）との間で可動である。つぶれた形態では、バルーン３の長手軸は、直線であり、バルーン３は円筒形形状とされる。膨張した形態では、バルーン３の長手軸の一部は、３次元空間で曲げられ、バルーン３の一部は螺旋形状とされる。バルーンは各端に端部４を有し、端部の長手軸の螺旋角は、バルーンの端から離れる方向で増加する。
【００４５】
バルーン３は、ステントを拡張するのに適している。
【００４６】
ステントは、図３〜１０（ｅ）に示すように、バルーン拡張式ステント６でよい。あるいは、ステントは、図１１〜１８に示すように、自己拡張式ステント７でもよい。
【００４７】
ステント６、７は、つぶれた搬送形態（図４および１２）から部分的に拡張した中間形態（図６および１４）に、そしてその後に、中間形態から完全に拡張した配置形態（図１０および１８）に可動である。搬送形態では、ステント６、７の長手軸は直線である。配置形態では、ステント６、７の長手軸は、３次元空間で曲がっている。
【００４８】
ステント６の長手軸は、中間形態では直線でもよい（図６）。バルーン３は、直線の長手軸を有するステント６を拡張するのに適する。この場合、バルーン３は、ステント６を拡張し、配置形態でステント６の長手軸が３次元空間で曲がることを確かなものとする。
【００４９】
あるいは、ステント７の長手軸は、中間形態で３次元空間で曲がっていてもよい（図１４）。バルーン３は、３次元空間で曲がっている長手軸を有するステント７を拡張するのに適する。この場合、バルーン３はステント７を拡張し、配置形態でステント７が血管５の内膜にはめ込まれ、ステント７が完全に配置された３次元曲線を取ることを確かなものとする。さらに、バルーン３はステント７を拡張し、ステント振幅比が、血液が渦流を生ずることなく欠陥５またはステント７を通って流れることができないようにすることを確かなものとする。振幅比は、ステントの内径に対するステントの螺旋長手軸の振幅の比である。
【００５０】
バルーン３は膨らんで、ステント７を拡張し、その螺旋構造を大きくし、振幅比を増大し、ピッチを低減し、ステントを所定の位置に固定し、好適な壁付加物とする。
【００５１】
ステント６は、中間形態なしで、つぶれた搬送形態（図１０（ｂ））から完全に拡張した配置形態（図１０（ｃ））に直接可動してもよい。搬送形態では、ステント６の長手軸は直線である。配置形態では、ステント６の長手軸は３次元空間で曲がっている。
【００５２】
バルーン３は、直線の長手軸を有するステント６を拡張するのに適する。この場合、バルーン３はステント６を拡張し、配置形態でステント６の長手軸が３次元空間で曲がるのを確かなものとする。
【００５３】
それぞれの場合に、膨張した形態のバルーン３は、ステント６、７に力を及ぼす。配置形態では、ステント６、７は今度は血管５の内膜に力を及ぼし、血管５の長手軸が３次元空間で曲がるようにする（図８および１６）。
【００５４】
図２（ａ）に示されるように、ステント配置器具１は、バルーン３をステント６、７に位置調整するための可視化手段をも備える。この場合、可視化手段は、バルーン３のマーカー２０を備える。マーカー２０は、螺旋または渦巻き状にバルーン３の円周方向および長手方向に延在する。マーカー２０はステント６、７の螺旋形状と位置調整される。
【００５５】
図２（ａ）は螺旋のバルーン３の螺旋のマーカー２０を示す。
【００５６】
ステント配置器具１は、ガイドワイヤ上で急速交換搬送し、あるいは、ガイドワイヤ上でワイヤ搬送するように構成されてもよい。
【００５７】
図１は、カテーテル２上で膨張していない螺旋のバルーン３を示し、図２は、カテーテル２上で膨張した螺旋のバルーン３を示す。
【００５８】
使用においては、ステント配置器具１を用いて、バルーン拡張式ステント６を血管５に配置し、図３〜１０（ｅ）に示すように、血管５の内膜の少なくとも一部を支えてもよい。あるいは、ステント配置器具１を用いて、自己拡張式ステント７を血管５に配置し、図１１〜１８に示すように、血管５の内膜の少なくとも一部を支えてもよい。
【００５９】
ある場合には、バルーン拡張式ステント６は、搬送カテーテル８に取り付けられた搬送形態になされてもよい。搬送形態では、ステント６の長手軸は直線である。搬送カテーテル８は、膨張式バルーン９を備える。
【００６０】
バルーン９は、つぶれた形態（図４）と膨張した形態（図５）の間で可動である。つぶれた形態では、バルーン９の長手軸は直線であり、バルーン９は円筒形形状とされる。膨張した形態では、バルーン９の長手軸は直線であり、バルーン９は円筒形形状とされる。
【００６１】
搬送カテーテル８とステント６は、血管５に挿入され、ステント６が所望の処置場所１０（図４）に位置するまで送られる。バルーン９は膨張してステント６を搬送形態から中間形態（図５）に動かす。ステント６の長手軸は、中間形態で直線である。バルーン９をしぼめて、搬送カテーテルを引き抜く（図６）。
【００６２】
その後、本発明のステント配置器具１は血管５に挿入され、バルーン３がステント６と位置合せされる（図７）まで送られる。バルーン３を膨らませ、ステント６を中間形態から配置形態に拡張する。膨張した形態のバルーン３はステント６に力を及ぼし、ステント６を中間形態から配置形態（図８）に動かす。配置形態で、ステント６の長手軸は、３次元空間で曲げられる。配置形態で、ステント６は血管５の内膜に力を及ぼし、血管５の長手軸を３次元空間で曲げる。
【００６３】
バルーン３をしぼめて（図９）、ステント配置器具１を血管５から引き抜く（図１０）。配置されたステント６は血管５内に留まる。
【００６４】
３次元で曲がった血管５中を流れる血液は、渦巻き作用を受ける。血液の渦巻き流れは、血栓や血小板粘着を最小化し、内膜の内部成長によるステント６の覆いを最小化または防止することが知られている。血管５の平面的でない形状により生ずる渦巻きパターンを含む血管５の流れパターンは、血栓／アテローム性動脈硬化や内膜過形成などの血管疾患の進行を抑制する作用をする。
【００６５】
図３〜１０は、３Ｄバルーン３を伴うバルーン膨張式直線ステント６を示す。図３は、狭窄した血管１０を示す。図４は、搬送システム８上の縮めたステント６を示す。図５は、膨らまされたバルーン９と配置されたステント６を示す。図６は、回復した血管の開通性を示す。図７は、３Ｄバルーンカテーテル１を示す。図８は、膨らんだ３Ｄバルーン３を示す。図９は、引き抜くためにしぼめられた３Ｄバルーン３を示す。図１０は、３Ｄ曲線を呈するように変形したステント６と血管５を示す。
【００６６】
別の場合では、バルーン拡張式ステント６は、搬送形態で、本発明のステント配置器具１に取り付けられるようになされる。搬送形態では、ステント６の長手軸は直線である。
【００６７】
ステント配置器具１とステント６は血管５に挿入され、ステント６が所望の処置場所１０（図１０（ｂ））に配置されるまで送られる。バルーン３を膨らませてステント６を搬送形態から配置形態（図１０（ｃ））に拡張する。膨張した形態のバルーン３はステント６に力を及ぼし、ステント６を搬送形態から配置形態に動かす。配置形態では、ステント６の長手軸は３次元空間で曲げられる。配置形態で、ステント６は血管５の内膜に力を及ぼし、血管５の長手軸を３次元空間で曲げる。
【００６８】
バルーン３をしぼめ（図１０（ｄ））、ステント配置器具１を血管５から引き抜く（図１０（ｅ））。配置されたステント６は血管５内に留まる。
【００６９】
３次元で曲がった血管５中を流れる血液は、渦巻き作用を受ける。血液の渦巻き流れは、血栓や血小板粘着を最小化し、内膜の内部成長によるステント６の覆いを最小化または防止することが知られている。血管５の平面的でない形状により生ずる渦巻きパターンを含む血管５の流れパターンは、血栓／アテローム性動脈硬化や内膜過形成などの血管疾患の進行を抑制する作用をする。
【００７０】
図１０（ａ）〜１０（ｅ）は、螺旋のバルーン３上に縮めた直線ステント６を示す。
【００７１】
自己膨張式ステント７の場合、ステント７は、搬送鞘１１内に拘束された搬送形態になされる。搬送形態では、ステント７の長手軸は直線である。
【００７２】
搬送鞘１１とステント７は血管５内に挿入され、ステント７が所望の処置場所１０（図１１および１２）に配置されるまで送られる。搬送鞘１１は引き戻され、ステント７が搬送形態から中間形態に動けるようにする（図１３）。ステント７の長手軸は、中間形態で３次元空間で曲げられる。中間形態で、ステント７は血管５の内膜に力を及ぼし、血管５を３次元空間で曲げる。搬送鞘１１を引っ込める（図１４）。
【００７３】
その後、本発明のステント配置器具１は血管５に挿入され、バルーン３をステント７と位置合せするまで、送られる（図１５）。バルーン３を膨らませてステント７を中間形態から配置形態に拡張する。膨張した形態のバルーン３はステント７に力を及ぼし、ステント７を中間形態から配置形態（図１６）に動かす。配置形態では、ステント７の長手軸は、３次元空間でさらに曲げられる。配置形態では、ステント７は血管５の内膜にさらに力を及ぼし、血管５の長手軸をさらに３次元空間で曲げる。
【００７４】
バルーン３をしぼめ（図１７）、ステント配置器具１を血管５から引き抜く（図１８）。
【００７５】
３次元で曲がった血管５中を流れる血液は、渦巻き作用を受ける。血液の渦巻き流れは、血栓や血小板粘着を最小化し、内膜の内部成長によるステント７の覆いを最小化または防止することが知られている。血管５の平面的でない形状により生ずる渦巻きパターンを含む血管５の流れパターンは、血栓／アテローム性動脈硬化や内膜過形成などの血管疾患の進行を抑制する作用をする。
【００７６】
図１１〜１８は、３Ｄバルーンを伴う３Ｄステント７を示す。図１１は、狭窄した血管１０とステント搬送システム１１を示す。図１３は、配置された３Ｄステント７を示す。図１４は、３Ｄ曲線を取るように再構築された血管５を示す。図１５は、バルーンカテーテル１を示す。図１７は、引き抜くためにしぼめた３Ｄバルーン３を示す。図１８は、引き抜かれたバルーン３と、所定位置の最大化した３Ｄ曲線を有するステント７を示す。
【００７７】
図１９および２０に示すように、膨張可能な要素２１は、複数の分離した膨張可能な部材２２を備えてもよいことは分かるであろう。膨張した形態では、膨張可能な要素２１の全体的な長手軸は、３次元空間で曲げられ、膨張可能な要素２１は全体として螺旋形状とされる。膨張した形態では、各膨張可能な部材２２の長手軸は直線であり、各膨張可能な部材２２は円筒形形状である。膨張可能な要素２１は、区分的に３次元曲線形状を有する。図１９および２０は、複数の直線バルーン２２で構成される区分的バルーン２１を示す。
【００７８】
膨張可能な要素が、例えば、膨張した形態で、膨張可能な要素の一部が渦巻き形状とされるなど、代替形状を有してもよいこともまた分かるであろう。渦巻きのピッチは、膨張可能な要素の長さ方向に一定でもよく、膨張可能な要素の長さ方向に変化してもよい。
【００７９】
ステント配置器具は、膨張可能な要素をステントと位置合せするための、種々の使用可能な可視化手段を備えてもよいことは分かるであろう。
【００８０】
例えば、図２１〜２３は、位置合せマーカーを備える可視化手段を示す。このシステムは蛍光透視法を用い、Ｘ線源３０、膨張可能な要素に配置されたマーカー３１および画像化媒体３２を含む。ステント（不図示）は膨張可能な要素の周囲に配置される。マーカーは、Ｘ線不透過性物質を備える。図２１は、位置合せ前の膨張可能な要素を示す。位置合せの程度は、画像化媒体３２で作られる画像により示される。この実施の形態は、図２１に示される画像、すなわち、２つの小さなマークが、位置合せされていない状態を示すように考案されている。図２２は、画像化媒体３２上の単一の広いマークにより示されるように、位置合せされた位置に向けて回転された膨張可能な要素を示す。図２３は、画像化媒体３２上単一の狭くなったマークで示されるように、ステントと位置合せされた膨張可能な要素を示す。
【００８１】
図２４と図２５は、膨張可能な要素の十字形状の位置合せマーカー４１を備える別の実施の形態を示す。図２４に示すように、Ｘ線源４０を用いて画像化媒体４２上に蛍光透視法を利用して観察すると、マーカー４１は、膨張可能な要素の第１の向きでは十字に見える。膨張可能な要素を、図２５に示すように正しく位置合わせされるように回転すると、マーカー４１は、画像化媒体４２上でＴ字形に見える。
【００８２】
図２６と図２７は、膨張可能な要素のＴ字形状の位置合せマーカー４３を備える別の実施の形態を示す。図２６に示すように、Ｘ線源４０を用いて画像化媒体４２を観察すると、マーカー４３は、膨張可能な要素の第１の向きではＴ字に見える。膨張可能な要素を、図２７に示すように正しく位置合わせされるように回転すると、マーカー４３は、１８０度回転して見える。
【００８３】
本発明による医療システムが拡張システムを備えることは分かるであろう。拡張システムは、血管を広げる拡張器具を備える。拡張器具は、細長いカテーテルシャフトと、血管に配置される単一の膨張可能な要素を備える。膨張した形態では、膨張可能な要素は血管の内膜に直接接触する。
【００８４】
図２８〜３１は、膨張可能な要素をステントと位置合わせするための、または、拡張システムの場合には、血管内腔と直接位置合わせする別の手段を示す。
【００８５】
図２８（ｂ）と図２９（ｂ）は、位置合わせ手段を含む体（不図示）内の体内での膨張可能な要素５１を示す。図２８（ｂ）は、図２８（ａ）に示すＣアーム型の蛍光透視を用いて観察した立面（縦）投影である。図２９（ｂ）は、図２９（ａ）に示すＣアーム型の蛍光透視を用いて観察した平面（前後方向）投影である。これらから分かるように、膨張可能な要素は、ほぼ円筒型断面を有し、両端の近くにほぼ平坦なノッチ部分５２を備える。
【００８６】
使用中、膨張可能な要素５１は、生理食塩水またはコントラスト増強媒体 (Ｘ線不透過性染料)で膨らまされ、蛍光透視法を用いて観察すると平坦なノッチ部分５２が見える。Ｃアーム型の蛍光透視（図２８（ａ）および図２９（ａ）参照）の機能を用いて、例えば図２８（ｂ）と図２９（ｂ）で見られる立面と平面のような、２つの直交視で膨張可能な要素５１を撮像して位置決めを容易にすることができる。膨張可能な要素５１の方向を、自己拡張式ステントのマーカーなどの別の参照ポイントや、ステント／血管内腔の曲線に関する平坦なノッチ部分５２の向きに基づいて、正しい位置に（すなわち、ステントまたは血管内腔の曲線と位置合わせされた）体内で調整することができる。マーカーの使用について、図３０（ａ）〜（ｃ）および図３１（ａ）〜（ｃ）を参照して、さらに説明する。
【００８７】
図３０（ａ）〜（ｃ）は、一方向に単一の曲がり（すなわち、一方向に曲がった中心線）を有するステント６０と膨張可能な要素６１を示す。図３０（ａ）はステント６０を示す。これは、両端の近くに直径方向反対側に配置された一組のＸ線不透過性マーカー６３を備える（各ペアの１つだけが示される）。図３０（ｂ）と図３０（ｃ）は、ステント６０に挿入された膨張可能な要素６１を示し、図３０（ｂ）は立面図、図３０（ｃ）は平面図である。これらから分かるように、膨張可能な要素６１は、前述したように、平坦なノッチ部分６２を備える。Ｘ線不透過性マーカー６３は、膨張可能な要素が正しく位置合わせされたときに平坦なノッチ部分６２と合致するように配置される。
【００８８】
したがって、使用にあたり、蛍光透視法を用いて膨張可能な要素６１を、例えば立面図と平面図のような２つの直交方向で観察し、ノッチ６２をＸ線不透過性マーカー６３と位置合わせし、すなわち膨張可能な要素６１を正しく配置することができる。
【００８９】
図３１（ａ）〜（ｃ）は、図３０（ａ）〜（ｃ）に類似するが、３次元空間に曲がった長手軸を有するステント７０と膨張可能な要素７１を示す。図３１（ａ）は、ステント７０を示す。これは、両端の近くに直径方向反対側に配置された一組のＸ線不透過性マーカー７３を備える（各ペアの１つだけが示される）。図３１（ｂ）と図３１（ｃ）は、ステント７０に挿入された膨張可能な要素７１を示し、図３１（ｂ）は立面図、図３１（ｃ）は平面図である。これらから分かるように、膨張可能な要素７１は、前述したように、平坦なノッチ部分７２を備える。Ｘ線不透過性マーカー７３は、膨張可能な要素が正しく位置合わせされたときに平坦なノッチ部分７２と合致するように配置される。
【００９０】
したがって、上記の図３１の実施の形態では、使用において、蛍光透視法を用いて膨張可能な要素７１を、例えば立面図と平面図のような２つの直交方向で観察することができる。その後、ノッチ７２をＸ線不透過性マーカー７３と位置合わせし、ステント７０の曲線に関して膨張可能な要素７１を正しく配置することができる。
【００９１】
本発明は、添付の図面を参照して、ここで説明した実施の形態に限定されることはなく、構造や詳細で変更されることがある。
【図１−２】
2015037605.tif 000003
【図２（ａ）】
2015037605.tif 000004
【図３】
2015037605.tif 000005
【図４】
2015037605.tif 000006
【図５】
2015037605.tif 000007
【図６】
2015037605.tif 000008
【図７】
2015037605.tif 000009
【図８】
2015037605.tif 000010
【図９】
2015037605.tif 000011
【図１０】
2015037605.tif 000012
【図１０（ａ）】
2015037605.tif 000013
【図１０（ｂ）】
2015037605.tif 000014
【図１０（ｃ）】
2015037605.tif 000015
【図１０（ｄ）】
2015037605.tif 000016
【図１０（ｅ）】
2015037605.tif 000017
【図１１】
2015037605.tif 000018
【図１２】
2015037605.tif 000019
【図１３】
2015037605.tif 000020
【図１４】
2015037605.tif 000021
【図１５】
2015037605.tif 000022
【図１６】
2015037605.tif 000023
【図１７】
2015037605.tif 000024
【図１８】
2015037605.tif 000025
【図１９】
2015037605.tif 000026
【図２０】
2015037605.tif 000027
【図２１】
2015037605.tif 000028
【図２２】
2015037605.tif 000029
【図２３】
2015037605.tif 000030
【図２４】
2015037605.tif 000031
【図２５】
2015037605.tif 000032
【図２６】
2015037605.tif 000033
【図２７】
2015037605.tif 000034
【図２８】
2015037605.tif 000035
【図２９】
2015037605.tif 000036
【図３０（ａ）】
2015037605.tif 000037
【図３０（ｂ）】
2015037605.tif 000038
【図３０（ｃ）】
2015037605.tif 000039
【図３１（ａ）】
2015037605.tif 000040
【図３１（ｂ）】
2015037605.tif 000041
【図３１（ｃ）】
2015037605.tif 000042
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
血管に配置されるバルーンを備え、
前記バルーンは、つぶれた形態と膨張した形態の間で可動であり、
前記バルーンは、血管内の前記バルーンあるいは血管内のステントの回転方向の位置調整を補助する変化する断面を有し、変化する断面は前記バルーンの外面の窪みを備え、前記窪みは、一次の回転対称性を有し；
前記窪みは前記バルーンの外面にあり、前記バルーンがつぶれた形態から膨張した形態へと膨らむときに前記外面は膨張し；
前記膨張した形態では、前記バルーンの長手軸の少なくとも一部は、３次元空間で曲がっている；
医療器具。
【請求項２】
前記断面の変化は、前記バルーンが軸方向に回転するにつれて断面の投影図が変化するようになされる；
請求項１の医療器具。
【請求項３】
前記窪みは、前記バルーンの外面で窪んだ実質的に平坦な部分を備え；
前記バルーンは、他ではほぼ円筒形断面を有する；
請求項１または２の医療器具。
【請求項４】
前記窪みは、前記バルーンの一端に配置され、もう一つの窪みは、前記バルーンの他端に配置される；
請求項１ないし３のいずれか１項の医療器具。
【請求項５】
前記バルーンでは、両端にそれぞれ端部を有し；
前記バルーンのそれぞれの端部の長手軸は、端部の長手方向に変化する螺旋角を有し、前記螺旋角は前記バルーンの端部から離れる方向で増加する；
請求項１ないし４のいずれか１項の医療器具。
【請求項６】
前記膨張した形態で、前記バルーンは、血管の内膜に直接接触するようになされ；
前記膨張した形態で、前記バルーンは、血管の内膜に力を及ぼし、血管の長手軸を３次元空間で曲げるようになされた；
請求項１ないし５のいずれか１項の医療器具。
【請求項７】
前記膨張した形態で、前記バルーンはステントを介して血管の内膜に力を及ぼすようになされた；
請求項１ないし５のいずれか１項の医療器具。
【請求項８】
前記バルーンの前記膨張した形態で、前記バルーンは、前記バルーンが挿入されているステントを介して、血管の内膜に力を及ぼし、血管の長手軸が３次元空間で曲がるように血管の内膜を変形させるようになされた；
請求項１ないし５および請求項７のいずれか１項の医療器具。
【請求項９】
請求項１ないし５、請求項７および請求項８のいずれか１項の医療器具と、
血管に配置されて血管の内膜の少なくとも一部を支えるのに適したステントとを備える；
医療システム。
【請求項１０】
前記ステントは、前記バルーンがステントと正しく位置合わせされると、前記窪みに関して所定の関係で位置するように配置されたＸ線不透過性マーカーを有する；
請求項９の医療システム。
【請求項１１】
少なくとも２ペアのＸ線不透過性マーカーを有し、各ペアは前記ステントの円周周りに直径方向反対側に配置された２つのマーカーを備える；
請求項１０の医療システム。